(57)【要約】【課題】  液体石鹸や固形石鹸などの洗顔料を使用して、化粧落としや洗顔をする時に、石鹸を簡単にきめ細かく泡立たせることが出来る泡立て具を提供する。【解決手段】  直径０．０８〜０．３ｍｍの合成樹脂の糸、例えばナイロン糸を６００〜１２００本束ねた環状体を形成し、その直径方向の対向する両側の部分を直接または他の糸束を介して間接的にツマミに固定し、両手でつかめるようにするとともに、該固定した間隔部の糸をカールさせた泡立て具。【選択図】図２
2010124933.tif 000002
【特許請求の範囲】
【請求項１】
合成樹脂の糸を複数本束ねた糸束で環状体を形成し、その基部となる部分を指でつかむことのできる第１のツマミに固定するとともに、該基部と対向する部分に第２のツマミを直接または間接に取り付けることにより、前記糸束の環状体を両側のツマミで把持可能とし、さらに前記両側のツマミで挟まれた糸束部分の糸をカールさせたことを特徴とする泡立て具。
【請求項２】
糸の直径が０．０８〜０．３ｍｍである請求項１に記載の泡立て具。
【請求項３】
糸がナイロン糸である請求項１又は２に記載の泡立て具。
【発明の詳細な説明】
【技術分野】
【０００１】
本発明は、液体石鹸や固形石鹸などの洗顔料を使用して、化粧落としや洗顔をする時に、石鹸をきめ細かく泡立たせることが出来る泡立て具に関するものである。
【背景技術】
【０００２】
従来、化粧落としや洗顔をする時に、液体石鹸や固形石鹸などの洗顔料を手で受けて、あまり泡立てする事なく直接顔に塗り付け、顔を手でこすりながら汚れとなじませ、水で洗い流しているのが現状である。この他に、補助機材として、ポリエチレンを原料としたプラスチックネットを筒状にした洗顔用泡立てネットも提案されている（特許文献１参照）。
【０００３】
上記洗顔方法のうち、補助機材を用いないで洗顔した場合、濃度の濃い洗顔料を直接肌に塗り付けることは、肌にとって刺激が強すぎて、かえって肌荒れの原因となるおそれがあった。またポリエチレンを原料とするプラスチックネットを筒状にした補助機材を使用した場合、泡立ちは良いが補助機材内部に泡が残り、不経済であるという問題点があった。さらに、洗顔後、補助機材の片付けで泡を洗い流す時、何重にもネットが重なっているので、その奥に泡が残り手間がかかるという問題点もあった。
【０００４】
一方、男性が剃刀でひげを剃る場合に、動物の柔らかい毛を大量に束ねたブラシを用いて石けんを顔面に塗りつけることが行われている。このブラシは、毛を濡らしたブラシを石けん表面に擦りつけて石けんを移し取り、顔面に塗布するものであるが、一般に毛が短く、しかも柔らか過ぎるので、石けんの泡を効率よく立てるには適していなかった。
【０００５】
上記従来の泡立て方法の問題点を解決するものとして、本願発明者は、液体石鹸や固形石鹸など従来一般的に使用されている洗顔料を用いる場合に、当該洗顔料をきめ細かく泡立たせることができ、しかも、できた泡を無駄なく取り出せるとともに、片付けの時は簡単に泡切れのできる泡立て具を開発し、すでに特許権を得ている（特許文献２参照）。
【０００６】
【特許文献１】特開平１０−２７６９２８号公報
【特許文献２】特許第３２１８３３９号公報
【発明の開示】
【発明が解決しようとする課題】
【０００７】
本件発明者の発明にかかる上記特許文献２に開示されている泡立て具は、きめ細かい泡を取り出すことができ、片付け時の泡切りも容易なもので、すでに多数の製品が市場に供されて好評を得ているが、泡立て操作にちょっとしたコツがいるため、使用者によってはうまく泡を立てることができず、販売時に実演してみせる必要があった。このため、より簡単に泡立てることのできる泡立て具に対する要望が強かった。そこで本発明は、上記泡立て具を改良し、きめ細かな泡をより簡単に得ることのできる泡立て具を提供することを目的としている。
【課題を解決するための手段】
【０００８】
上記課題を解決するため、本発明は次のような構成を採用した。すなわち、本発明にかかる泡立て具は、合成樹脂の糸を複数本束ねた糸束で環状体を形成し、その基部となる部分を指でつかむことのできる第１のツマミに固定するとともに、該基部と対向する部分に第２のツマミを直接または間接に取り付けることにより、前記糸束の環状体を両側のツマミで把持可能とし、さらに前記両側のツマミで挟まれた糸束部分の糸をカールさせたことを特徴としている。泡立て具の糸の太さ（直径）は、０．０８〜０．３ｍｍが好ましく、材質としてはナイロンが適している。
【発明の効果】
【０００９】
本発明にかかる泡立て具は、ループ状の糸の束の直径方向の両端を両手で持つことができるので、石鹸をつけた糸の束を両手で揉むように擦り合わせることができる。このため、泡立て作業が容易であり、確実かつ迅速に大量の泡を得ることができる。
【発明を実施するための最良の形態】
【００１０】
以下、本発明の具体例を挙げつつ詳細に説明する。図１は本発明の泡立て具を例示するもので、この泡立て具１は、所定の太さを有する合成樹脂の糸（糸条）２，…を多数束ねて環状の糸束４とし、その基部となる部分を纏めて、この部分にツマミ５を取り付けてなる。合成樹脂の糸の材質としてはナイロンが最も適しているが、用途によっては、ポリエチレン等他の合成樹脂製糸（繊維）を使用することができる。
【００１１】
糸２，…の太さは、直径０．０８〜０．３ｍｍの範囲内のものが好ましい。糸の径は、細い方が柔軟性が増し、太い方が剛直性が増すので、用途に応じて最適なものを選べばよい。径が０．０８ｍｍよりも細い糸は、腰がなさ過ぎて泡立て操作が難しくなる。また、径が０．３ｍｍよりも太い糸は、柔軟性に乏しくなり、ソフトな泡立てが難しくなる。なお、泡立て具１のすべての糸を同じ太さのものとすると製作が容易であるが、太さの異なる糸を種々取り混ぜて製作すると、特有の感触が得られて好ましい場合もある。
【００１２】
この泡立て具１における糸束４を形成する糸２の総本数は、使用する糸の径に応じて増減するのが好ましい。具体的には、糸２の径が０．０８〜０．２０ｍｍの場合は８００〜１２００本程度とするのが好ましく、径がそれよりも大きいものは６００〜１０００本程度とするのが好ましい。
【００１３】
図示例では、糸束４は、１本の長い合成樹脂の糸２を所定の直径で環状（ループ状）に多数回巻き取ったもので、全体が１本の糸２からなっている。もちろん２本以上の糸の輪を重ねてもよい。１本（複数本でもよい）の糸を環状に巻き取って糸束４を形成する方法を採用すると、環状の糸束４の形成が容易である。
【００１４】
基部となる部分（基部）４ａへのツマミ５の取り付け部の詳細は、図３に示すとおりである。すなわち、糸束４の基部４ａに孔付きのバンド７を巻き付けて結束し、この部分をバンド７とともに中空球状のツマミ５に設けた通孔５ａから内部に挿入するとともに、該バンド７の先端部をツマミ５の前記通孔５ａとは反対側に設けた通孔５ｂから引き出して、リング状の把手８に結び付けている。バンド７としては、電気工事等で用いられる電線拘束用のバンド（インシュロックとよばれる）を利用するのが便利である。
【００１５】
図示例のツマミ５はプラスチック製（例えば塩ビ製）の中空の玉体として形成されており、上述のとおり糸束４の基部がその中空部に挿入されているが、他の材質、例えば金属等のツマミでもよい。。
【００１６】
環状の糸束４の前記基部４ａと対向する他方の端部４ｂには、当該端部４ｂを保持するための第２の糸束１０が係合している。第２の糸束１０は、前記糸束４と同様な糸束を折り返したもので、具体的には、前記糸束４を挟んで二重に折り返して端部同士を重ね合わせたものである。当該重ね合わされた端部はツマミ５の内部に挿入され、上記と同様にバンド７で結束されている。また、このバンド７の先端部は、上記と同様に、ツマミ５の反対側の通孔から引き出され、リング状の把手８に結び付けられている。すなわち、この図示例（図1、図２）の泡立て具１は、基部と反対側の端部を第２の糸束を用いて間接的にツマミ５に固定したものである。第１の環状体（糸束４による）が、第２の糸束１０（二重に折り返した環状体）によって間接的に保持されているので、当該第２の環状体の変形の自由度が高く、泡立て操作が楽であるという利点がある。
【００１７】
糸束４の束ねられた多数の糸２の中間部（ツマミ５から延び出した部分）は、緩やかにカールさせられている。このカールは、髪の毛のカールに用いられるカーラー等を用いて、公知の熱処理等の方法で簡単に付けることができる。図示例では、第２の糸束１０にはカールが施されていないが、この糸束１０にもカールを施しておいてもよい。なお、両側のツマミ５，５の間隔の長さは、７０〜１００ｍｍとするのが好ましく、８０〜１００ｍｍとするのがより好ましい。この間隔が長すぎても短かすぎても取り扱いにくくなる。
【００１８】
糸の束の基部に取り付けられているツマミ５の形状は、図示例の玉体に限らず、筒体等適当な形状とすることができる。また、糸の基部２ａを互いに固定する固定方法としては、熱溶着による方法や、接着剤による方法、細い糸で括り付ける方法等、適当な方法を採用することができる。
【００１９】
この泡立て具１の使用に際しては、その糸束（いわゆる毛の部分）を水かぬるま湯につけて濡らした状態で、図４に示すように掌に持ち、適量の洗顔剤を付けて、両手の中で揉んだり擦ったりする（図５、図６参照）。すると、糸束の中間部が自由に動き回るので、糸同士の間に入り込んでいる水と空気と洗顔剤とが効率よく混ざり合い、クリーム状のソフトな泡を極めて短時間で作ることができる。十分に泡立てたら、泡立て具１を一方の掌に載せた状態で、他方の手で引っ張って糸束をその繊維方向に沿ってしごくことにより、泡を掌上に移し替える。この場合、ネット筒のものと違って横糸がないので、泡が横糸に引っ掛かって残ることがなく、立てられた大量の泡を効率よく掌に移し取ることができるのである。
【００２０】
立てられた泡を十分に掌に移し取ったら、その泡で顔等を洗えばよい。この泡立て具１で立てられた泡はソフトなクリーム状であるから、このクリーム状のきめ細かな泡で洗顔すると、直接濃度の濃い洗剤が肌に付くことがなく、手で肌をこすっても泡がクッションとなって肌を守ることができる。なお、糸束の材質が合成樹脂のナイロンであるから、水切れが良く、衛生的でもある。さらに、洗顔が終わって、泡立て具１を洗う場合は、ネット筒のものと違って泡が少量しか残っていないので、簡単に洗い落とすことができる。
【００２１】
つぎに、図７は上記と異なる実施形態を表すもので、この実施形態における泡立て具１’は、上記第２の糸束１０を備えず、糸束４の他方の端部４ｂがツマミ５に直接取り付けられている。この取り付け方法は、図３に示すものと同様である。なお、両方のツマミ５で固定された左右両端部の間の中間部には、上記と同様にカールが施されている。両側のツマミ５，５の間隔は上記のとおり８０〜１００ｍｍとするのが好ましい。
【００２２】
この実施形態の泡立て具１’は、上記実施形態と同様の方法で使用することができる。きめ細やかな泡が迅速に形成されることも上記と同様である。この泡立て具１’は、第２の糸束がないので、その分だけ製造コストは低くなるが、糸束４の変形の自由度が少なくなるので、若干泡立て効率が低くなる傾向がある。
【００２３】
以上に説明した如く、本発明にかかる泡立て具１、１’は、ブラシ状の毛が自由に動き廻るので、空気と水と洗剤とがよく混ざり合いやすく、クリーム状のきめ細かい泡ができる。したがって、洗顔用の泡立て具として使用するに適したものである。また、泡の残りが少ないので、使用後の糸束の洗浄時に簡単に洗い落とすことができ、しかもナイロン糸等の合成樹脂糸を素材としているので乾燥しやすく衛生的である。なお、この泡立て具を洗顔以外の用途に使用することができることはいうまでもない。
【図面の簡単な説明】
【００２４】
【図１】泡立て具のカールを付ける前の状態における斜視図である。
【図２】泡立て具の完成品の斜視図である。
【図３】泡立て具のツマミの断面図である。
【図４】使用法の説明図である。
【図５】使用法の説明図である。
【図６】使用法の説明図である。
【図７】異なる実施形態を表す斜視図である。
【符号の説明】
【００２５】
１      泡立て具
２      糸
４      糸束
５      ツマミ
１０    第２の糸束
【図１】
2010124933.tif 000003
【図２】
2010124933.tif 000004
【図３】
2010124933.tif 000005
【図４】
2010124933.tif 000006
【図５】
2010124933.tif 000007
【図６】
2010124933.tif 000008
【図７】
2010124933.tif 000009